(57)【要約】  【課題】  釣り竿の保持が確実である、あるいは、釣り竿の取り付け・取り外しが容易である、釣り竿の操作性が良好である等の利点を有する竿掛け装置を提供する。  【解決手段】  竿掛け装置１０の本体２０上に釣り竿Ｘを寝かせて掛けた状態では、竿の先の部分が竿受け部４０で受け止められるとともに、竿のグリップ部Ｘ２が竿保持部５０に保持される。このとき、竿保持部５０の左右ロックレバー６０Ｌ、６０Ｒ間は閉状態となって、両レバーが竿グリップ部Ｘ２の上面を押さえている。この状態から竿Ｘを立てて外す際には、各ロックレバー６０Ｌ、６０Ｒが竿Ｘ上面に押されて回動し、左右ロックレバー６０Ｌ、６０Ｒ間が開状態となる。ロックレバー６０Ｌ、６０Ｒが回動して開く過程において、横に寝ている竿Ｘをある角度θまで立てる間は、両レバーを開く方向のモーメントが生じず、この角度θを越えて釣り竿を立てると、両レバーを開く方向のモーメントが生じる。【選択図】    図１２
2007061044.tif 000002
【特許請求の範囲】
【請求項１】
釣り竿のグリップ部を保持する竿保持部と、同グリップ部の先の竿の部分を受ける竿受け部と、これら両部を相互にある離隔した位置にくるように支える本体と、該本体を船べり等に固定するベースと、を備える竿掛け装置であって、
前記竿保持部が、
釣り竿を上に立てた時の長手方向（上下方向）にほぼ沿う軸芯を有する一対のレバー軸と、
該レバー軸の回りに回動する一対のロックレバーであって、該一対のロックレバーの間を竿のグリップ部が通過可能な開状態と通過不能な閉状態との間で回動可能なロックレバーと、を有し、
該ロックレバーが、竿のグリップ部を保持する際には竿グリップ部の上面を押さえ、竿を立てて外す際には竿上面に押されて開くものであり、
該ロックレバーの竿グリップ部に当接する面の、釣り竿を横に寝かせて掛けた状態からある角度θまで立てる間に当たる部分（寝竿当接面）の形状が、前記ロックレバーを開く方向のモーメントを生じさせないように形成されており、該角度θを越えて竿を立てたときに当たる部分（立竿当接面）の形状が、前記ロックレバーを開く方向のモーメントを生じさせるように形成されていることを特徴とする竿掛け装置。
【請求項２】
前記寝竿当接面が、実質的に球面であり、その球面の中心が前記レバー軸の軸芯上又はその竿先側にあることを特徴とする請求項１記載の竿掛け装置。
【請求項３】
前記レバー軸が、前記本体に対して両持で支持されていることを特徴とする請求項１又は２記載の竿掛け装置。
【発明の詳細な説明】
【技術分野】
【０００１】
本発明は、舟釣りをするときに船べり等に釣り竿を保持する竿掛け装置に関する。特には、釣り竿の保持が確実である、あるいは、釣り竿の取り付け・取り外しが容易である、釣り竿の操作性が良好である等の利点を有する竿掛け装置に関する。
【背景技術】
【０００２】
特許文献１及び特許文献２を例に採って、背景技術を説明する。
特許文献１（実開平６−５４７６号公報）の舟釣り用竿受は、図１３（Ａ）に示すように、船べり１００に取り付けられるコ字状のクランプ１１０を備えている。このクランプ１１０の上部には、竿受け部１１１と元受け部１１５とがそれぞれ回動可能に取り付けられている。竿受け部１１１は、支持杆１１２とその下り止め部１１３を備えており、釣り竿基部の先端側を支持する。元受け部１１５は、係止杆１１６とその上り止め部（図示されず）を備え、釣り竿基部の基端側を係止する。
この舟釣り用竿受は、船が揺れたときや、大型の魚が掛かったとき、あるいは、他人の釣り竿が誤ってぶつかったとき等に、釣り竿が竿受から外れ易く、釣り竿が海中に落ち易いという問題がある。
【０００３】
特許文献２（特開平８−１７２９９３号公報）の舟釣り用竿受具は、図１３（Ｂ）に示すように、竿Ｘを支持する竿受本体１２１を備えている。この竿受本体１２１には、取付けベース１２３が回動可能に取り付けられている。この取付けベース１２３には、連結突部（図示されず）を介して竿取付片１２７が保持される。この竿取付片１２７は、竿Ｘに固定される。
この舟釣り用竿受具は、竿Ｘに竿取付片１２７を固定するため、竿全体の重量が増して操作性が悪くなり、釣り味が大きく損なわれるという問題もある。
【０００４】
【特許文献１】実開平６−５４７６号公報
【特許文献２】特開平８−１７２９９３号公報
【発明の開示】
【発明が解決しようとする課題】
【０００５】
現在、釣行時の釣り竿の保持が確実であり、それでいて釣り竿の取り付け・取り外しが容易な竿掛け装置が求められている。さらに、釣り竿の操作性を損ねることなく、釣り味を大切にできる竿掛け装置が求められられている。
【０００６】
本発明は、このような要請に応えるためになされたものであって、釣り竿の保持が確実である、あるいは、釣り竿の取り付け・取り外しが容易である、釣り竿の操作性が良好である等の利点を有する竿掛け装置を提供することを目的とする。
【課題を解決するための手段】
【０００７】
本発明の竿掛け装置は、釣り竿のグリップ部を保持する竿保持部と、同グリップ部の先の竿の部分を受ける竿受け部と、これら両部を相互にある離隔した位置にくるように支える本体と、該本体を船べり等に固定するベースと、を備える竿掛け装置であって、  前記竿保持部が、  釣り竿を上に立てた時の長手方向（上下方向）にほぼ沿う軸芯を有する一対のレバー軸と、  該レバー軸の回りに回動する一対のロックレバーであって、該一対のロックレバーの間を竿のグリップ部が通過可能な開状態と通過不能な閉状態との間で回動可能なロックレバーと、を有し、  該ロックレバーが、竿のグリップ部を保持する際には竿グリップ部の上面を押さえ、竿を立てて外す際には竿上面に押されて開くものであり、  該ロックレバーの竿グリップ部に当接する面の、釣り竿を横に寝かせて掛けた状態からある角度θまで立てる間に当たる部分（寝竿当接面）の形状が、前記ロックレバーを開く方向のモーメントを生じさせないように形成されており、該角度θを越えて竿を立てたときに当たる部分（立竿当接面）の形状が、前記ロックレバーを開く方向のモーメントを生じさせるように形成されていることを特徴とする。
【０００８】
この竿掛け装置を用いる際には、船べり等にベースを取り付け、本体を定位置に固定しておく。竿掛け装置に釣り竿を寝かせて掛けた状態では、竿の先の部分が竿受け部で受け止められるとともに、竿のグリップ部が竿保持部に保持される。このとき、竿保持部の一対のロックレバー間は閉状態となって、両ロックレバーが竿グリップ部の上面を押さえている。この状態から竿を立てて外す際には、各ロックレバーが竿上面に押されて回動し、一対のロックレバー間が開状態となる。ここで、ロックレバーが回動して開く過程において、横に寝ている釣り竿をある角度θまで立てる間は、ロックレバーを開く方向のモーメントが生じず、この角度θを越えて釣り竿を立てると、ロックレバーを開く方向のモーメントが生じる。このため、釣り竿がある角度θ以下で寝ている状態、例えば船のローリング（横揺れ）が伝わって竿先が飛び上がったような場合にも、釣り竿が竿掛け装置から外れない。一方、角度θを越えて釣り竿を立てるときは、モーメントによりロックレバーがスムーズに回動し、竿を竿掛け装置から外せる。したがって、例えば魚がかかったときの“あわせ”の操作等、釣り竿を急に立てて竿掛け装置から外す操作をスムーズに行える。
なお、前述の角度θは、竿を寝かせた状態からグリップ部を基点として４０〜４５°程度が好ましい。
【０００９】
本発明の竿掛け装置においては、前記寝竿当接面が、実質的に球面であり、その球面の中心が前記レバー軸の軸芯上又はその竿先側にあるものとすることができる。なお、「竿先側」とは竿の先端方向のことであり、竿掛け装置で言えば竿受け部側のことである。
球面（寝竿当接面）の中心がレバー軸の軸芯上にある場合は、球面の中心とレバー軸の軸芯との間の距離がゼロとなるので、モーメントがゼロになる。球面の中心がレバー軸の先にある場合は、ロックレバーに付与されるモーメントが負の値（すなわちロックレバーを閉じる方向に回動させるモーメントが付与される）となる。いずれの場合も、ロックレバーを開く方向のモーメントが生じないので、竿グリップ部がロックレバーでしっかりと保持される。
【００１０】
本発明の竿掛け装置においては、前記レバー軸が、前記本体に対して両持で支持されているものとすることができる。
この場合、レバー軸が本体に対して高剛性・高強度に支持されるので、レバー軸の回りで回動するロックレバーにぶれ等が生じ難くなり、ロックレバーのスムーズな回動を実現できる。また、頑丈で耐久性も高い。
【発明の効果】
【００１１】
本発明によれば、釣り竿の保持が確実である、あるいは、釣り竿の取り付け・取り外しが容易である、釣り竿の操作性が良好である等の利点を有する竿掛け装置を提供することができる。
【発明を実施するための形態】
【００１２】
以下、本発明の実施の形態について、図面を参照しながら詳細に説明する。
なお、以下に述べる実施の形態において、先・元、上・下、左・右とは、特に断らない限り、各図に矢印で示す方向を指すものとする。先側とは竿掛け装置に掛けた竿の先端側のことであり、元側とは竿掛け装置に掛けた竿のグリップ部側のことである。
【００１３】
図１は、本実施の形態に係る竿掛け装置の全体構成を示す側面図である。
図２は、図１の竿掛け装置の本体にベースを収納した状態を示す側面図である。
図３は、図１の竿掛け装置を先側から見た正面図である。
図４は、図１の竿掛け装置を元側から見た正面図である。
図５は、図４の断面図である。
図６は、図１の竿掛け装置を上側から見た平面図である。
図７は、図６においてロックレバーが開いた状態を示す図である。
図８は、図６の一部断面図である。
図９は、本実施の形態に係る竿掛け装置の左側ロックレバーを示す図である。（Ａ）は側面図であり、（Ｂ）は（Ａ）のα−α線断面図であり、（Ｃ）は正面図であり、（Ｄ）は斜視図である。
【００１４】
図１０は、本実施の形態に係る竿掛け装置に釣り竿をセットする際のロックレバーの作用を説明するための図である。（Ａ）は本体付近の側面図であり、（Ｂ）は竿保持部を元側から見た簡略正面図であり、（Ｃ）はロックレバー付近の平面図である。
図１１は、本実施の形態に係る竿掛け装置のロックレバーを手動で開く際の作用を説明するための図である。（Ａ）は竿保持部を元側から見た簡略正面図であり、（Ｂ）はロックレバー付近の平面図である。
図１２は、本実施の形態に係る竿掛け装置にセットした釣り竿を立てる際のロックレバーの作用を説明するための図である。（Ａ）は本体付近の側面図であり、（Ｂ）は竿保持部を元側から見た簡略正面図であり、（Ｃ）はロックレバー付近の平面図である。
【００１５】
図１〜図８に示すように、竿掛け装置１０は、本体２０を備えている。この本体２０は、左右一対のほぼコ字板状をした本体部材（左部材２１、右部材２２、図３参照）を備えている。各本体部材２１（ここでは左部材２１について説明するが、右部材２２も同様の構造を有する。（）内の符号は、右部材２２の対応部位を指す。）は、図１に示すように、先側立上り部２１Ｔ（２２Ｔ）と、元側立上り部２１Ｂ（２２Ｂ）と、これらを繋ぐ水平部２１Ｈ（２２Ｈ）とを有する。図３〜図８に示すように、左部材２１と右部材２２は、所定間隔離れて対向している。左右部材２１、２２の間の元側下端部には、ベース３０が回動可能に挟まれている（図２、図５等参照）。本竿掛け装置１０は、大きく分けて、これら本体２０及びベース３０で構成される。
【００１６】
まず、本体２０関係の構成について説明する。
本体２０の先側には、釣り竿の先側部分を受ける竿受け部４０が配置されており、本体２０の元側には、釣り竿のグリップ部を保持する竿保持部５０が配置されている。
【００１７】
竿受け部４０は、左右部材２１、２２の先側立上り部２１Ｔ、２２Ｔで構成される。図１〜図３に示すように、各先側立上り部２１Ｔ、２２Ｔは、下側から上側に向けて幅広となっている（図  １及び図２参照）とともに、左右方向には上側に向けて互いに離れるように湾曲しており（図３参照）、左右で二股状に構成されている。竿受け部４０は、二股内側のスペース４１内で、竿の先側部分を受け止めるようになっている（図１２（Ａ）参照）。
【００１８】
竿保持部５０は、左右部材２１、２２の元側立上り部２１Ｂ、２２Ｂを基本として構成される。図６〜図８に示すように、各元側立上り部２１Ｂ、２２Ｂは、各水平部２１Ｈ、２２Ｈよりも外幅が広く、左右方向に互いに離れるように湾曲している。元側立上り部２１Ｂ、２２Ｂのそれぞれには、図１に示すように、切欠き基部５３ａと切欠き上片部５３ｃとの間に切欠き部５３ｂが形成されている。左右それぞれの切欠き部５３ｂ内側には、レバー軸５１Ｌ（５１Ｒ）で支持されたロックレバー６０Ｌ（６０Ｒ）が取り付けられている。
【００１９】
特に図１にわかり易く示すように、レバー軸５１Ｌは、切欠き部５３ｂの上下部分（切欠き上片部５３ｃと切欠き基部５３ａ）に両持で支持されている。このような両持支持により、レバー軸５１Ｌが、本体２０の元側立上り部２１Ｂに対して高剛性・高強度に支持されるので、レバー軸５１Ｌの回りで回動するロックレバー６０Ｌにぶれ等が生じ難くなり、ロックレバー６０Ｌのスムーズな回動を実現できる。また、頑丈で耐久性も向上できる。レバー軸５１Ｌの軸芯Ｓは、ほぼ上下方向に沿っているが、上端が元側に向けて若干傾いている。なお、右部材２２のレバー軸５１Ｒ（図５参照）の周辺も同様の構成を有する。
【００２０】
図３〜図８に示すように、ロックレバー６０Ｌ、６０Ｒは、左右対称に配置されており、両レバー６０Ｌ、６０Ｒ間を釣り竿Ｘのグリップ部Ｘ２（図１０、図１２参照）が通過可能な開状態（図７参照）と通過不能な閉状態（特に図６参照）との間で、レバー軸５１Ｌ、５１Ｒの回りに回動可能である。後述するように、両ロックレバー６０Ｌ、６０Ｒは、釣り竿のグリップ部を保持する際には閉状態でグリップ部の上面を押さえ、竿を立てて外す際には竿上面に押されて開状態となる。開状態においては、図７に示すように、各ロックレバー６０Ｌ、６０Ｒがレバー軸５１Ｌ、５１Ｒの回りにそれぞれ９０°回動して観音開きのように開く。左右ロックレバー６０Ｌ、６０Ｒは、レバー軸５１Ｌ、５１Ｒの外側に嵌められたバネ５２Ｌ、５２Ｒ（図８参照）により、通常時（釣り竿が通過する以外の時）閉じる方向に付勢されている。
【００２１】
図９には、左側ロックレバー６０Ｌの構成が示されている。右側ロックレバー６０Ｒは、左側ロックレバー６０Ｌと左右対称な構成である。図９（Ｂ）、（Ｄ）に示すように、ロックレバー６０Ｌの基部６１には、上下方向に貫通する孔６３が形成されている。この孔６３内には、前述のレバー軸５１が通される。図９（Ｂ）に示すように、ロックレバー６０Ｌの下面側には、内凹部６５が形成されている。図５及び図８に示すように、この内凹部６５内には、前述のバネ５２が収容される。内凹部６５の端面６５ａには、バネ５２の一方の引出端が当たって係止されている。なお、図８に示すように、バネ５２の他方の引出端は、元側立上り部２１Ｂ、２２Ｂの突部５７に当たっている。
【００２２】
図９（Ａ）に示すように、ロックレバー６０Ｌの下面側には、開方向ストッパー６７、閉方向ストッパー６９が形成されている。これらストッパー６７、６９は、ロックレバーの回動限界位置を規定するためのものである（図７参照）。開方向ストッパー６７は、ロックレバーが開いたとき、元側立上り部２１Ｂ、２２Ｂの突部５７（図１、図８等参照）に当たる。閉方向ストッパー６９は、ロックレバーが閉じたとき、元側立上り部２１Ｂ、２２Ｂの切欠き面５９（図１、図４等参照）に当たる。
【００２３】
図９（Ｄ）にわかり易く示すように、ロックレバー６０Ｌには、寝竿当接球面７１、立竿当接面７３、斜突曲面７５がそれぞれ形成されている。
寝竿当接球面７１は、ロックレバー６０Ｌの基部６１の内側（釣り竿のグリップ部が通る通路側）下部に形成されている。この寝竿当接球面７１を含むの球体の中心は、レバー軸５１の軸芯Ｓ上（ロックレバー６０Ｌの孔６３の中心線上）にある（図１２（Ｂ）、（Ｃ）参照）か、又は、同軸芯Ｓよりも先側にある。寝竿当接球面７１は、後に図１２を参照しつつ詳述するが、本体２０上で横に寝かせた釣り竿をある角度θまで立てる間、釣り竿のグリップ部外面に当たる。寝竿当接球面７１の球面形状は、釣り竿のグリップ部外面が当たっても、ロックレバーを開く方向のモーメントを生じさせないようになっている。
【００２４】
立竿当接面７３は、ロックレバー６０Ｌの基部６１の内側において、先側を向いた面として形成されている。立竿当接面７３には、後に寝竿当接球面７１の作用とともに詳述するが、ある角度θを越えて釣り竿を立てたときに、竿グリップ部上面が当たる。立竿当接面７３の形状は、竿上面が当たった後、ロックレバーを開く方向のモーメントを生じさせるような形状になっている。
【００２５】
斜突曲面７５は、ロックレバー６０Ｌの内側において、元側上部から先側下部に向けて滑らかに連続する曲面状に形成されている。図３及び図４に示すように、左右のロックレバー６０Ｌ、６０Ｒが閉状態となっているとき、これら両者の斜突曲面７５は、元側上部から先側下部に向けて滑らかに連続する半円形突状で上側が開いたＶ字スペースをなす。斜突曲面７５は、後に図１０を参照しつつ詳述するが、釣り竿が上側から押し付けられたとき、左右のロックレバー６０Ｌ、６０Ｒに最大の回転モーメントを発生させるようになっている。
【００２６】
図１、図３及び図６に示すように、竿保持部５０において、左右部材２１、２２の元側立上り部２１Ｂ、２２Ｂの先側端面には、それぞれ竿押上部材係止部７７Ｌ、７７Ｒが取り付けられている。ここでいう竿押上部材とは、例えば輪ゴム等である。両竿押上部材係止部７７Ｌ、７７Ｒ間に輪ゴム等を架け渡すと、竿掛け装置１０に横に寝かせて釣り竿を保持させたとき、竿グリップ部が輪ゴムによって押さえられ、釣り竿の上下の振動を減少させることができる。
【００２７】
次に、ベース３０の構成について説明する。
ベース３０は、本体２０を船べり等に固定するためのものである。図５にわかり易く示すように、ベース３０基端は、本体２０の元側下端部において、左右部材２１、２２の間に回動可能に挟まれている。ベース３０と左右部材２１、２２は、シャフト３１で繋がれている。このシャフト３１は、左端にナット３２が螺合しており、右端にクランプ３１ａが取り付けられている。クランプ３１ａを回してシャフト３１を締め付けると、本体２０に対してベース３０が固定され、クランプ３１ａを回してシャフト３１を緩めると、本体２０に対してベース３０が回動可能となる。竿掛け装置１０を使用しないときは、図２に示すように、ベース３０を回動して本体２０の左右部材間に収納し、全体をコンパクトにできるので、持ち運びに便利である。
【００２８】
図４〜図８に示すように、左右部材２１、２２とベース３０との当接面には、互いに噛み合い可能な本体凹凸部２４、ベース凹凸部３４が形成されている。図１０（Ａ）及び図１２（Ａ）に示すように、ベース凹凸部３４は、シャフト３１の軸芯を中心として円形放射状に形成されており、本体凹凸部２４も、これに噛み合い可能な円形放射状に形成されている。ベース３０を回動させてこれら凹凸部２４、３４の噛み合わせ位置を変えることで、ベース３０に対する本体２０の角度を変えることができ、適切な竿掛け角度を設定することができる。
【００２９】
図１及び図２に示すように、ベース３０の先端３０ａは鉤状に折れ曲がっている。この先端３０ａには、クランプボルト３５が螺進可能に取り付けられている。クランプボルト３５の図１における下端には、クランプ３５ａが取り付けられており、クランプボルト３５の図１における上端には、締皿３５ｂが形成されている。さらに、図１０（Ａ）及び図１２（Ａ）にわかり易く示すように、ベース３０基端側には、凹凸辺３７が形成されている。竿掛け装置１０を船べり等に取り付ける際には、締皿３５ｂと凹凸辺３７との間に船べり等を挟み込んだ後、クランプ３５ａでクランプボルト３５を回して締め付ける。
【００３０】
次に、本実施の形態に係る竿掛け装置１０の作用について、主に図１０及び図１２を参照しつつ説明する。
（１）竿をセットする際の作用
船べり等に固定した竿掛け装置１０に竿Ｘをセットするときは、次のようにする。すなわち、竿保持部５０の左右ロックレバー６０Ｌ、６０Ｒの上側から竿Ｘを当てると、図１０（Ｂ）に示すように、竿本体部Ｘ１又はグリップ部Ｘ２（竿Ｘと総称する）が、左右ロックレバー６０Ｌ、６０Ｒ上端のＶ字形部分（左右斜突曲面７５の上端部７５ａ間のＶ字スペースをなす部分）に当たる。このＶ字型部分は、ロックレバー６０の斜突曲面７５の上端部７５ａ（図９（Ｄ）等参照）であり、前述した通り、この上端部７５ａは半円形に形成されている。なお、図１０においては、斜突曲面７５に相当する箇所が網目で示されている。
【００３１】
Ｖ字形部分に当てた竿Ｘを押し下げると、竿Ｘから斜突曲面７５にかかる力Ｆ（ＦＬ、ＦＲ）が、左右ロックレバー６０Ｌ、６０Ｒを押し開く方向（上端部７５ａをなす半円形の中心部）に向かって作用する。このとき、押し下げ力ＦＬ、ＦＲの作用点（竿Ｘと斜突曲面７５の上端部７５ａとの接点）と、左右レバー軸５１Ｌ、５１Ｒの軸芯Ｓとの間には、図１０（Ｃ）に示すように距離ｒが確保されているので、ロックレバー６０Ｌ、６０Ｒをレバー軸５１Ｌ、５１Ｒの回りに開方向に回動させるモーメントが発生する。これにより、左右ロックレバー６０Ｌ、６０Ｒは、レバー軸５１Ｌ、５１Ｒの軸芯Ｓ回りに、観音開きのように開く（図７参照）。
【００３２】
前述の通り、斜突曲面７５は、元側上部から先側下部に向けて滑らかに連続する曲面状に形成されているので、竿Ｘを徐々に押し下げていくと、その外面が斜突曲面７５に沿ってスライドしていく。そのため、左右ロックレバー６０Ｌ、６０Ｒには回転モーメントが付与され続け、竿Ｘが両ロックレバー６０Ｌ、６０Ｒ間を通過し終わるまで開状態が続く。そして、竿Ｘが通過した後は、バネ５２Ｌ、５２Ｒ（図４、図５及び図８参照）の付勢力により、両ロックレバー６０Ｌ、６０Ｒは自動的に閉じる。
このように、竿Ｘをセットするときは、竿Ｘを軽く押し下げるだけでロックレバー６０Ｌ、６０Ｒはスムーズに開き、竿Ｘが通過した後は、ロックレバー６０Ｌ、６０Ｒが自動的に閉じて竿保持状態となる。
【００３３】
（２）竿をセットした後の作用（竿の保持作用及びあわせ時のロックレバー回動作用）
竿Ｘをセットした後は、図１２（Ｂ）にわかり易く示すように、グリップ部Ｘ２の上面が両ロックレバー６０Ｌ、６０Ｒの寝竿当接球面７１に当たって押さえられる（なお、竿Ｘのセット後は、竿先が船べりの外側まで延び出ており、竿はおじぎするような形となるので、グリップ部Ｘ２は上に持ち上がる）。寝竿当接球面７１は、図１２（Ｂ）に描いた左右の仮想球ＣＬ、ＣＲの面の一部をなす。図９を参照しつつ前述したように、これらの仮想球ＣＬ、ＣＲの中心ＣＲ′、ＣＬ′は、それぞれ左右のレバー軸５１Ｌ、５１Ｒの軸芯Ｓ上に位置している。なお、図１２においては、寝竿当接球面７１に相当する箇所が網目で示されている。
【００３４】
持ち上がったグリップ部Ｘ２からは、両ロックレバー６０Ｌ、６０Ｒに向けてそれぞれ力ＦＬ１、ＦＲ１がかかるが、これらの力ＦＬ１、ＦＲ１は、必ず、グリップ部Ｘ２外面と寝竿当接球面７１との接点から仮想球ＣＬ、ＣＲの中心ＣＲ′、ＣＬ′に向かう。中心ＣＲ′、ＣＬ′は、左右のレバー軸５１Ｌ、５１Ｒの軸芯Ｓ上にあるため、図１２（Ｃ）に示すように、力ＦＬ１、ＦＲ１の作用点（グリップ部Ｘ２外面と寝竿当接球面７１との接点）と、左右レバー軸５１Ｌ、５１Ｒの軸芯Ｓとの間の距離ｒはゼロである。したがって、ロックレバー６０Ｌ、６０Ｒをレバー軸５１Ｌ、５１Ｒの回りに回動させるモーメントは発生しない。そのため、両ロックレバー６０Ｌ、６０Ｒは閉状態を維持し続け（前述した図６等参照）、グリップ部Ｘ２が両ロックレバー６０Ｌ、６０Ｒで押さえられた竿保持状態が維持される。
【００３５】
このような竿保持状態から、図１２（Ａ）に仮想的に示すように、竿本体部Ｘ１を少しずつ立てていった場合を考える。この場合、竿先Ｘ１を立てるに連れて、グリップ部Ｘ２外面と寝竿当接球面７１との接点が先側へとずれて、両ロックレバー６０Ｌ、６０Ｒにかかる力が例えばＦＬ１→ＦＬ２、ＦＲ１→ＦＲ２へと変わる。しかし、グリップ部Ｘ２外面が寝竿当接球面７１に当たっている限り、力ＦＬ２、ＦＲ２は仮想球ＣＬ、ＣＲの中心ＣＲ′、ＣＬ′へと向かっている。そのため、図１２（Ｃ）に示すように、距離ｒはやはりゼロであり、ロックレバー６０Ｌ、６０Ｒをレバー軸５１Ｌ、５１Ｒの回りに回動させるモーメントは発生しない。なお、仮想球ＣＬ、ＣＲの中心ＣＲ′、ＣＬ′が軸芯Ｓよりも先側にある場合は、ロックレバー６０Ｌ、６０Ｒに付与されるモーメントが負の値（すなわちロックレバー６０Ｌ、６０Ｒを閉じる方向に回動させるモーメントが付与される）となるので、この場合もグリップ部Ｘ２の保持状態が維持される。
【００３６】
そして、竿Ｘが一定の角度θ（図１２（Ａ）参照）を超え、グリップ部Ｘ２外面が寝竿当接球面７１から外れた瞬間から、左右ロックレバー６０Ｌ、６０Ｒを押し上げている力の向きが中心ＣＲ′、ＣＬ′（レバー軸５１Ｌ、５１Ｒの軸芯Ｓ上）から外れる。このとき、竿本体部Ｘ１上面が立竿当接面７３（図９（Ｄ）等参照）に当たり、竿本体部Ｘ１から左右ロックレバー６０Ｌ、６０Ｒへ向けて、先側から元側へと力がかかって、左右ロックレバー６０Ｌ、６０Ｒには軸芯Ｓを中心として開く方向の回転モーメントが付与され、左右ロックレバー６０Ｌ、６０Ｒが開状態（図７参照）となる。
【００３７】
角度θは、寝竿当接球面７１の大きさ（図１２（Ｃ）における先元方向に沿う幅）に応じて設定することができる。望ましくは、θ＝約４０°〜４５°が適当である。本発明の竿掛け装置１０は、竿Ｘをある角度θまで立てる間は、グリップ部Ｘ２が左右ロックレバー６０Ｌ、６０Ｒでしっかりと保持されるので、例えば船のローリング（横揺れ）が伝わって竿先が飛び上がったような場合でも、竿Ｘが竿掛け装置１０から外れにくくなる。一方、角度θを越えて竿Ｘを立てると、グリップ部Ｘ２の材質（摩擦の有無）にかかわらず、図７に示すように左右ロックレバー６０Ｌ、６０Ｒがスムーズに回動して開くので、例えば魚がかかったときの“あわせ”の操作等、竿Ｘを急に立てて竿掛け装置１０から外す操作をスムーズに行える。
【００３８】
（３）手動によるロックレバーの回動作用
左右ロックレバー６０Ｌ、６０Ｒは、（１）で述べたのと同様にして、簡単な手動操作で開くこともできる。この場合は、図１１に示すように、例えば竿を握った手の親指で、前述した左右ロックレバー６０Ｌ、６０ＲのＶ字形部分を押す。すると、（１）で述べたのと同様に、左右ロックレバー６０Ｌ、６０Ｒに回転モーメントが発生し、開状態（図７参照）となる。
【図面の簡単な説明】
【００３９】
【図１】本実施の形態に係る竿掛け装置の全体構成を示す側面図である。
【図２】図１の竿掛け装置の本体にベースを収納した状態を示す側面図である。
【図３】図１の竿掛け装置を先側から見た正面図である。
【図４】図１の竿掛け装置を元側から見た正面図である。
【図５】図４の断面図である。
【図６】図１の竿掛け装置を上側から見た平面図である。
【図７】図６においてロックレバーが開いた状態を示す図である。
【図８】図６の一部断面図である。
【図９】本実施の形態に係る竿掛け装置の左側ロックレバーを示す図である。（Ａ）は側面図であり、（Ｂ）は（Ａ）のα−α線断面図であり、（Ｃ）は正面図であり、（Ｄ）は斜視図である。
【図１０】本実施の形態に係る竿掛け装置に釣り竿をセットする際のロックレバーの作用を説明するための図である。（Ａ）は本体付近の側面図であり、（Ｂ）は竿保持部を元側から見た簡略正面図であり、（Ｃ）はロックレバー付近の平面図である。
【図１１】本実施の形態に係る竿掛け装置のロックレバーを手動で開く際の作用を説明するための図である。（Ａ）は竿保持部を元側から見た簡略正面図であり、（Ｂ）はロックレバー付近の平面図である。
【図１２】本実施の形態に係る竿掛け装置にセットした釣り竿を立てる際のロックレバーの作用を説明するための図である。（Ａ）は本体付近の側面図であり、（Ｂ）は竿保持部を元側から見た簡略正面図であり、（Ｃ）はロックレバー付近の平面図である。
【図１３】図１３（Ａ）は特許文献１（実開平６−５４７６号公報）の舟釣り用竿受を示す斜視図であり、図１３（Ｂ）は特許文献２（特開平８−１７２９９３号公報）の舟釣り用竿受具を示す側面図である。
【符号の説明】
【００４０】
１０  竿掛け装置
２０  本体
２１  左部材                              ２２  右部材
２１Ｔ、２２Ｔ  先側立上り部              ２１Ｂ、２２Ｂ  元側立上り部
２１Ｈ、２２Ｈ  水平部                    ２４  本体凹凸部
３０  ベース                              ３０ａ  （ベースの）先端
３１  シャフト                            ３１ａ  クランプ
３２  ナット                              ３４  ベース凹凸部
３５  クランプボルト                      ３５ａ  クランプ
３５ｂ  締皿                              ３７  凹凸辺
４０  竿受け部                            ４１  スペース
５０  竿保持部
５１Ｌ、５１Ｒ  レバー軸                  ５３ｂ（５３Ｌ、５３Ｒ）  切欠き部
５２Ｌ、５２Ｒ  バネ                      ６０Ｌ、６０Ｒ  ロックレバー
６１  基部                                ６３  孔
６５  内凹部                              ６７  開方向ストッパー
６９  閉方向ストッパー                    ７１  寝竿当接球面
７３  立竿当接面                          ７５  斜突曲面
７５ａ  （斜突曲面の）上端部              ７７Ｌ、７７Ｒ  竿押上部材係止部
Ｘ  竿
Ｘ１  竿本体部                            Ｘ２  グリップ部
ＣＬ、ＣＲ  （寝竿当接球面を含む）仮想球  ＣＲ′、ＣＬ′  仮想球の中心
Ｓ  レバー軸の軸芯
【図１】
2007061044.tif 000003
【図２】
2007061044.tif 000004
【図３】
2007061044.tif 000005
【図４】
2007061044.tif 000006
【図５】
2007061044.tif 000007
【図６】
2007061044.tif 000008
【図７】
2007061044.tif 000009
【図８】
2007061044.tif 000010
【図９】
2007061044.tif 000011
【図１０】
2007061044.tif 000012
【図１１】
2007061044.tif 000013
【図１２】
2007061044.tif 000014
【図１３】
2007061044.tif 000015